(57)【特許請求の範囲】
【請求項１】
動電型のヘッドホンユニットと、上記ヘッドホンユニットの周りに取り付けられたバッフル板と、上記バッフル板の一方の面側に装着され人体の側頭部に当接されるイヤーパッドと、上記ヘッドホンユニットの背面側を囲むように上記バッフル板の他方の面側に設けられたヘッドホンハウジングとを含み、上記バッフル板の周縁側で上記イヤーパッドにより覆われる位置に、上記ヘッドホンユニットが備える振動板の前後の空気室を音響的に接続する音響通路が形成されているヘッドホンにおいて、
上記バッフル板の一方の面側には、上記音響通路の一端側に連通し、上記バッフル板の半径方向内側に向けて上記イヤーパッドにより覆われない位置にまで延び、上記イヤーパッドによって塞がれることのない深さを有する連通溝が形成されていることを特徴とするヘッドホン。
【請求項２】
上記音響通路が、上記バッフル板の円周方向に沿って所定の間隔をもって配置されており、上記音響通路の全部もしくは一部分に上記連通溝が形成されていることを特徴とする請求項１に記載のヘッドホン。
【請求項３】
上記連通溝が、上記バッフル板の一方の面側に突設されたリブにより囲まれた領域に形成されていることを特徴とする請求項１または２に記載のヘッドホン。
【発明の詳細な説明】
【技術分野】
【０００１】
本発明は、耳を覆うように側頭部にあてがわれて使用されるヘッドホンに関し、さらに詳しく言えば、大口径のヘッドホンユニットを有しながらも小型化されたヘッドホンに関するものである。
【背景技術】
【０００２】
装着方式で分類すると、ヘッドホンには、ヘッドバンド式，耳掛け式，インナーイヤー式等があるが、本発明の従来技術として、図４にヘッドバンド方式で耳Ｅを覆うように側頭部ＨＳにあてがわれて使用される第１従来例としてのヘッドホン１Ｂの断面を示し、これについて、その構成を説明する。
【０００３】
図４に示すヘッドホン１Ｂは、基本的な構成として、ヘッドホンユニット１０と、バッフル板２０と、イヤーパッド３０と、ヘッドホンハウジング４０とを備えている。
【０００４】
通常、ヘッドホンユニット１０には、動電型（ダイナミック型）の電気音響変換器が用いられているが、静電型（コンデンサ型）の電気音響変換器が用いられることもある。
【０００５】
バッフル板２０は、遮音性を有する円盤体からなり、ヘッドホンユニット１０の周りに取り付けられる。換言すれば、ヘッドホンユニット１０は、バッフル板２０の中央に形成されている開口部内に装着される。
【０００６】
イヤーパッド３０は、耳Ｅを覆うようにして人体の側頭部ＨＳに当接されるパッド部材で、スポンジ材等の弾性体３１を感触性のよい外皮３２で包んだドーナッツ状を呈し、バッフル板２０の一方の面２０ａ側に装着される。
【０００７】
ヘッドホンハウジング４０は、ヘッドホンユニット１０の背面側に所定容積の空気室（後部空気室Ａ２）を形成するように、バッフル板２０の他方の面２０ｂ側に設けられる。通常、ヘッドホンハウジング４０は、自在継ぎ手状のハンガー部材を介してヘッドバンド（ともに図示しない）の端部に支持される。
【０００８】
ところで、左右の耳にヘッドホンを装着して音声を聴取する際、音声が各ヘッドホンの中間、すなわち頭内に定位する。しかしながら、音声が頭内に定位し、これが長時間続くとストレスとなることが知られている。
【０００９】
この頭内定位を軽減するとともに、音質と周波数応答を改善するために、振動板１１の前部空気室（イヤーパッド３０にて囲まれる空間）Ａ１と後部空気室Ａ２とを音響的に接続することが行われている。
【００１０】
前部空気室Ａ１と後部空気室Ａ２とを音響的に接続するにあたっては、図３に示すように、バッフル板２０に音響通路（開口）２１を穿設し、音響通路２１に不織布等の音響抵抗材２２を貼り付ける手法が一般的に採用れている（例えば、特許文献１の図４参照）。
【００１１】
ヘッドホンユニット１０について、音質が良好なヘッドホンでは、一般的に大口径のヘッドホンユニットが搭載されていることから、どうしてもヘッドホンが大型となり、携帯性が犠牲になる。
【００１２】
そこで、音質と携帯性を両立させるために、小型のヘッドホンに大口径のヘッドホンユニットを搭載した第２従来例としてのヘッドホンを図５に示す。このヘッドホン１Ｃによると、ヘッドホンハウジング４０が小型に設計されているため、バッフル板２０音響通路２１がイヤーパッド３０と重なる部分に配置されることになる。
【００１３】
この場合、図５に例示するように、イヤーパッド３０のバッフル板２０に対する取付面３０ａ側には、音響通路２１を塞がないようにするための傾斜が付けられる。
【００１４】
しかしながら、ヘッドホンに加えられる側圧は、使用者の頭部の形状に依存し個人差があるため、その側圧が大きい場合には、イヤーパッド３０の取付面３０ａがバッフル板２０に密着し、音響通路２１が塞がれてしまうことがある。
【先行技術文献】
【特許文献】
【００１５】
【特許文献１】特開２０１０−９３４８２号公報（図４）
【発明の概要】
【発明が解決しようとする課題】
【００１６】
したがって、本発明の課題は、頭内定位を軽減するため、バッフル板に振動板の前後の空気室を音響的に接続する音響通路が形成されているヘッドホンにおいて、音響通路がイヤーパッドにより覆われる位置に配置されたとしも、音響通路がイヤーパッドにより塞がれないようにすることにある。
【課題を解決するための手段】
【００１７】
上記課題を解決するため、本発明は、動電型のヘッドホンユニットと、上記ヘッドホンユニットの周りに取り付けられたバッフル板と、上記バッフル板の一方の面側に装着され人体の側頭部に当接されるイヤーパッドと、上記ヘッドホンユニットの背面側を囲むように上記バッフル板の他方の面側に設けられたヘッドホンハウジングとを含み、上記バッフル板の周縁側で上記イヤーパッドにより覆われる位置に、上記ヘッドホンユニットが備える振動板の前後の空気室を音響的に接続する音響通路が形成されているヘッドホンにおいて、上記バッフル板の一方の面側には、上記音響通路の一端側に連通し、上記バッフル板の半径方向内側に向けて上記イヤーパッドにより覆われない位置にまで延び、上記イヤーパッドによって塞がれることのない深さを有する連通溝が形成されていることを特徴としている。
【００１８】
本発明の好ましい態様によれば、上記音響通路は、上記バッフル板の円周方向に沿って所定の間隔をもって配置されており、上記音響通路の全部もしくは一部分に上記連通溝が形成されてよい。
【００１９】
本発明において、上記連通溝は、上記バッフル板の一方の面側を凹ますことにより形成される溝以外に、上記バッフル板の一方の面側にリブを突設し、そのリブにより囲まれた領域に形成される溝であってもよい。
【発明の効果】
【００２０】
本発明によれば、バッフル板の周縁側でイヤーパッドにより覆われる位置に、ヘッドホンユニットが備える振動板の前後の空気室を音響的に接続する音響通路が形成されているヘッドホンにおいて、バッフル板のイヤーパッドが設けられる一方の面側に、音響通路の一端側に連通し、バッフル板の半径方向内側に向けてイヤーパッドにより覆われない位置にまで延び、イヤーパッドによって塞がれることのない深さを有する連通溝が形成されていることにより、小型のヘッドホンハウジング内に大口径のヘッドホンユニットを搭載することができ、また、使用者の個人差により側圧が変わっても音響通路の音響抵抗が変化しないので、音質と周波数応答がともに良好なヘッドホンが提供される。
【図面の簡単な説明】
【００２１】
【図１】本発明の実施形態に係るヘッドホンを頭部に装着した状態で示す断面図。
【図２】上記ヘッドホンに適用されるバッフル板を示す（ａ）正面図，（ｂ）そのＡ−Ａ線断面図。
【図３】上記バッフル板に形成される連通溝の変形例を示す（ａ）正面図，（ｂ）そのＢ−Ｂ線断面図。
【図４】第１従来例に係るヘッドホンを頭部に装着した状態で示す断面図。
【図５】第２従来例に係るヘッドホンを頭部に装着した状態で示す断面図。
【発明を実施するための形態】
【００２２】
次に、図１ないし図３により、本発明の実施形態について説明するが、本発明はこれに限定されるものではない。なお、この実施形態の説明において、先の図４，図５で説明した従来例が備える構成要素と同一もしくは同一と見なされてよい構成要素には同じ参照符号を付す。
【００２３】
まず、図１を参照して、この実施形態に係るヘッドホン１Ａにおいても、基本的な構成として、ヘッドホンユニット１０と、バッフル板２０と、イヤーパッド３０と、ヘッドホンハウジング４０とを備えている。
【００２４】
この実施形態におけるヘッドホンユニット１０は動電型（ダイナミック型）であり、振動板１１と磁気回路部１２とを備えている。振動板１１は、センタードーム１１１と、その周りに連設されたサブドーム１１２とを有し、その連設部分の背面側に接着材等によりボイスコイル１１３が一体的に取り付けられている。
【００２５】
磁気回路部１２は、周縁部が囲壁としてほぼ直角に折り曲げられた扁平な断面Ｕ字状を呈するヨーク１２１と、ヨーク１２１の内底面に配置された円盤状で厚み方向に着磁された永久磁石１２２と、永久磁石１２２上に配置されヨーク１２１の囲壁との間で所定幅の磁気ギャップを形成するポールピース１２３とを備えている。
【００２６】
磁気回路部１２は、円盤状で中央に開口部を有するユニットフレーム１３の開口部内に支持され、また、振動板１１は、ボイスコイル１１３が磁気回路部１２の磁気ギャップ内で振動し得るように、サブドーム１１２の周縁部がユニットフレーム１３の周縁部に支持されている。
【００２７】
ユニットフレーム１３には、振動板１１の背面側を後述する後部空気室Ａ２と音響的に連通する通気孔１３１が穿設されており、通気孔１３１には不織布等からなる音響抵抗材１３２が設けられている。
【００２８】
バッフル板２０は、中央に開口部を有する遮音材の円盤体からなり、ヘッドホンユニット１０のユニットフレーム１３の周りに取り付けられる。このバッフル板２０により、振動板１１の前側と後ろ側とが音響的に区画される。
【００２９】
イヤーパッド３０は、耳Ｅを覆うようにして人体の側頭部ＨＳに当接されるパッド部材で、スポンジ材等の弾性体３１を感触性のよい外皮３２で包んだドーナッツ状を呈し、振動板１１の放音面側であるバッフル板２０の一方の面２０ａ側に装着されている。
【００３０】
ヘッドホンハウジング４０は、ヘッドホンユニット１０の背面側に所定容積の空気室（後部空気室Ａ２）を形成するように、バッフル板２０の他方の面２０ｂ側に設けられる。通常、ヘッドホンハウジング４０は、自在継ぎ手状のハンガー部材を介してヘッドバンド（ともに図示しない）の端部に支持される。なお、ヘッドホンハウジング４０は、無孔の密閉型，音漏れ孔を有するオープン型のいずれであってもよい。
【００３１】
頭内定位を軽減するために、この実施形態においても、バッフル板２０の周縁部分に透孔状であって不織布等の音響抵抗材２２を有する音響通路２１が設けられ、これにより、振動板１１の前部空気室（イヤーパッド３０にて囲まれる空間）Ａ１と後部空気室Ａ２とが音響的に接続されている。なお、音響通路２１は、図２（ａ）に示すように、バッフル板２０の円周方向に沿って所定の間隔で複数設けられている。
【００３２】
このヘッドホン１Ａは、先の図５で説明した第２従来例と同じく、音質と携帯性の両立をはかるため、ヘッドホンユニット１０には、音質の良好な大口径ユニットを用いる一方で、ヘッドホンハウジング４０およびバッフル板２０が、小型（小径）に設計されることから、音響通路２１がイヤーパッド３０にて覆われる位置に配置され、このままでは、ヘッドホン装着時に大きな側圧がかけられると、イヤーパッド３０により音響通路２１が塞がれてしまうことがある。
【００３３】
そこで、本発明では、ヘッドホン１Ａにかけられる側圧によってイヤーパッド３０がバッフル板２０に押し付けられても、音響通路２１がイヤーパッド３０にて塞がれず、前部音響室Ａ１と常に連通するようにしている。
【００３４】
そのため、この実施形態においては、図２（ａ），（ｂ）に示すように、バッフル板２０の一方の面２０ａ側に、音響通路２１から前部空気室Ａ１にかけて連通溝２３を形成するようにしている。
【００３５】
すなわち、この連通溝２３は、音響通路２１の一端側に連通し、バッフル板２０の半径方向内側に向けてイヤーパッド３０により覆われない位置、すなわち前部空気室Ａ１にまで延びており、イヤーパッド３０によって塞がれることのない深さを有している。
【００３６】
なお、連通溝２３は、図２（ａ），（ｂ）に示すように、各音響通路２１ごとに設けられることが好ましいが、一部の音響通路２１に設けられてもよい。なお、図２（ｂ）において、参照符号２０ｃは、ヘッドホンユニット１０のユニットフレーム１３が嵌合される開口部である。
【００３７】
これ以外の方法として、図３（ａ），（ｂ）に示すように、バッフル板２０の一方の面２０ａ側に、バッフル板２０の開口部２０ｃ側から音響通路２１の一端側に至り、その周りをＵターンして開口部２０ｃ側に戻る一連のリブ２４を突設し、このリブ２４により囲まれた領域内を連通溝２３としてもよい。この場合においても、連通溝２３の深さ（リブ２４の突出高さ）は、イヤーパッド３０によって塞がれることのない深さとする。
【００３８】
このように、バッフル板２０の一方の面２０ａ側に、音響通路２１から前部空気室Ａ１にかけて連通溝２３を形成することにより、ヘッドホン１Ａにかけられる側圧によってイヤーパッド３０がバッフル板２０に押し付けられても、音響通路２１がイヤーパッド３０にて塞がれず、前部音響室Ａ１と常に連通するため、小型のヘッドホンハウジング４０内に大口径のヘッドホンユニット１０を搭載することができる。
【００３９】
また、使用者の個人差により側圧が変わっても、音響通路２１の音響抵抗が変化しないことから、誰に対しても音質が一定であるヘッドホンが提供される。
【符号の説明】
【００４０】
１Ａ  ヘッドホン
１０  ヘッドホンユニット
１１  振動板
１２  磁気回路部
１３  ユニットフレーム
２０  バッフル板
２１  音響通路
２２  音響抵抗材
２３  連通溝
２４  リブ
３０  イヤーパッド
４０  ヘッドホンハウジング
Ａ１  前部空気室
Ａ２  後部空気室
【図１】
0005707277.tif 000002
【図２】
0005707277.tif 000003
【図３】
0005707277.tif 000004
【図４】
0005707277.tif 000005
【図５】
0005707277.tif 000006